【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
身体管腔から物質を除去するための装置であって、
近位端と、遠位端と、それを通って延在するカテーテル管腔とを有するカテーテルと、
前記カテーテルの前記遠位端に回転可能に連結されるカッターアセンブリであって、前記カッターアセンブリは、少なくとも１つの波型刃先を有するカッターを含み、前記カッターは、円筒状筐体内に位置し、かつ前記円筒状筐体の遠位開口部において露出され、前記遠位開口部の縁は、前方切削面を形成し、前記円筒状筐体およびカッターは、回転して組織を除去する、カッターアセンブリと、
前記カテーテル管腔を通って延在し、かつ前記カッターアセンブリに連結される第１の端と、回転機構に連結するように構成される第２の端とを有する、回転可能トルクシャフトであって、前記トルクシャフトの外面は、隆起表面を備え、前記隆起表面は、前記トルクシャフトの回転時に、前記隆起表面が近位方向に物質を運搬するように、前記トルクシャフトの外面上にらせん状に位置する、トルクシャフトと、
を備える、装置。
【請求項２】
前記カッターおよび円筒状筐体は、第１の方向に回転する、請求項１に記載の装置。
【請求項３】
前記カッターは、第１の方向に回転し、前記円筒状筐体は、第２の方向に回転する、請求項１に記載の装置。
【請求項４】
前記カッターは、第１の速度で回転し、前記円筒状筐体は、第２の速度で回転する、請求項１に記載の装置。
【請求項５】
前記第１および第２の速度は、異なる、請求項４に記載の装置。
【請求項６】
前記カテーテルは、前記トルクシャフトの回転時に回転しない、請求項１に記載の装置。
【請求項７】
前記カッターは、前記筐体の前記遠位開口部を越えて部分的に延在する、請求項１に記載の装置。
【請求項８】
前記カッターは、ドーム形の外形を備える、請求項１に記載の装置。
【請求項９】
前記カッターは、遠位端に先の丸い突出部を備える、請求項１に記載の装置。
【請求項１０】
前記筐体を前記カテーテルの遠位端に繋ぐ管部材をさらに備える、請求項１に記載の装置。
【請求項１１】
前記カッターは、鋼材を備え、窒化チタンで被覆される、請求項１に記載の装置。
【請求項１２】
前記カッターは、炭化タングステン材を備える、請求項１に記載の装置。
【請求項１３】
前記円筒状筐体は、鋼材を備え、少なくとも前記前方切削面は、窒化チタンで被覆される、請求項１に記載の装置。
【請求項１４】
前方切削面は、炭化タングステンで作られている、請求項１に記載の装置。
【請求項１５】
前記カッター上の前記波型刃先は、前記カッターの回転軸の周囲のらせん経路に接する、請求項１に記載の装置。
【請求項１６】
前記トルクシャフトを通って、かつ前記カッターを通って延在するガイドワイヤ管腔をさらに備える、請求項１に記載の装置。
【請求項１７】
前記ガイドワイヤ管腔を通って、かつ前記カッターより遠位に延在するガイドワイヤをさらに備える、請求項１６に記載の装置。
【請求項１８】
前記ガイドワイヤの遠位部は、固着機構を備える、請求項１７に記載の装置。
【請求項１９】
前記固着機構は、自己拡張式らせんコイル、多孔質バスケット、ワイヤバスケット、複数のワイヤ、および前記ガイドワイヤのあらかじめ成形された部分から成る群より選択される構造を備える、請求項１８に記載の装置。
【請求項２０】
前記カテーテルの遠位部は、前記カテーテルの残りの部分よりも柔軟である、請求項１に記載の装置。
【請求項２１】
前記カテーテル管腔内に位置し、かつ前記回転可能トルクシャフトの外部にある、掃引鞘をさらに備え、前記掃引鞘は、前記カテーテル内で回転可能で、かつ軸方向に移動可能であり、あらかじめ設定された湾曲区分が前記カテーテルの前記柔軟遠位部にある時に、前記カッターアセンブリが偏向するように、その遠位端においてあらかじめ設定された湾曲区分も有する、請求項２０に記載の装置。
【請求項２２】
前記掃引鞘は、回転時に、前記カッターアセンブリが、前記カテーテルの半径よりも大きい半径を有する弧を描いて掃引するように、前記カテーテルに対して回転可能である、請求項２１に記載の装置。
【請求項２３】
前記掃引鞘の外部にある前記カテーテル管腔の一部は、近位から遠位方向への流体の送達を可能にする一方で、前記回転可能トルクシャフト上の前記隆起表面は、前記トルクシャフトの回転時に、物質の遠位から近位への同時の移動を可能にする、請求項２１に記載の装置。
【請求項２４】
前記掃引鞘は、前記カッターアセンブリの偏向を固定するように前記カテーテルに対して係止可能である、請求項２１に記載の装置。
【請求項２５】
前記掃引鞘は、前記カッターアセンブリの偏向を固定するように前記カテーテルに対する十分な摩擦を有する、請求項２１に記載の装置。
【請求項２６】
前記カテーテルは、前記カッターアセンブリの付近に少なくとも１つの開口部を備え、前記開口部は、前記シャフト管腔に流体的に連結され、かつ洗浄流体が放出されることを可能にするように構成される、請求項１に記載の装置。
【請求項２７】
前記カテーテルの前記近位端の付近のポートは、流体源に連結される、請求項１に記載の装置。
【請求項２８】
前記カテーテルの前記近位端は、真空源に連結される、請求項１に記載の装置。
【請求項２９】
前記カッターアセンブリを前記カテーテルに繋ぐフェルールをさらに含む、請求項１に記載の装置。
【請求項３０】
前記回転可能トルクシャフト上の前記隆起表面は、前記カッター上のらせん溝と同じ回転方向で巻かれている、請求項１に記載の装置。
【請求項３１】
身体管腔から物質を除去するための装置であって、
近位端と、遠位端と、それを通って延在するカテーテル管腔とを有するカテーテルと、
前記カテーテル本体の前記遠位端に位置するカッターであって、前記カッターは、少なくとも１つの開口部を有する筐体と、前記筐体内で回転するように構成されるカッターとを備え、前記カッターは、前記カッターの回転方向に対して接線方向である第１の方向に切削する、少なくとも１つの波型刃先を含み、前記カッターはさらに、前記カテーテルが遠位または近位方向に移動されるときに第２の切削方向に切削し、かつ前記血管の軸に対して平行である、少なくとも１つの前方切削面と、前記カテーテル管腔を通って延在し、かつ第１の端と第２の端とを有するトルクシャフトであって、前記第１の端は前記カッターアセンブリに連結され、前記第２の端は回転機構に連結するように構成され、前記トルクシャフトの外面は隆起表面を備え、前記隆起表面は、回転時に、前記隆起表面が近位方向に物質を運搬するように、前記トルクシャフトの外面上にらせん状に位置する、トルクシャフトとを備える、カッターと、
を備える、装置。
【請求項３２】
前記筐体を前記カテーテルの遠位端に繋ぐ管部材をさらに備える、請求項３１に記載の装置。
【請求項３３】
前記カッターは、円筒形状であって、前記筐体の近位部は、円筒状であって、前記筐体の遠位部は、先細である、請求項３１に記載の装置。
【請求項３４】
前記カッターの前方切削面は、前記カッターの前記回転軸に対してほぼ垂直に整列している、請求項３１に記載の装置。
【請求項３５】
前記カッターはさらに、前記カテーテルが近位方向に移動すると第３の切削方向に切削し、かつ前記カッターの前記回転軸に対して平行である、後方切削面を含む、請求項３１に記載の装置。
【請求項３６】
前記カッターの後方切削面は、前記カッターの前記回転軸に対してほぼ垂直に整列している、請求項３５に記載の装置。
【請求項３７】
前記カッターは、窒化チタンで被覆される鋼材を備える、請求項３１に記載の装置。
【請求項３８】
前記カッターは、炭化タングステン材を備える、請求項３１に記載の装置。
【請求項３９】
前記波型刃先は、前記カッターの前記回転軸の周囲のらせん経路に接する、請求項３１に記載の装置。
【請求項４０】
前記トルクシャフトを通って、かつ前記カッターを通って延在するガイドワイヤ管腔をさらに備える、請求項３１に記載の装置。
【請求項４１】
前記ガイドワイヤ管腔を通って、かつ前記カッターより遠位に延在するガイドワイヤをさらに備える、請求項４０に記載の装置。
【請求項４２】
前記ガイドワイヤの遠位部は、固着機構を含む、請求項４１に記載の装置。
【請求項４３】
前記固着機構は、自己拡張式らせんコイル、多孔質バスケット、ワイヤバスケット、複数のワイヤ、および前記ガイドワイヤのあらかじめ成形された部分から成る群より選択される構造を備える、請求項４２に記載の装置。
【請求項４４】
前記カテーテルの遠位部は、前記カテーテルの残りの部分よりも柔軟である、請求項３１に記載の装置。
【請求項４５】
前記カテーテル管腔内に位置し、かつ前記トルクシャフトの外部にある、掃引鞘をさらに備え、前記掃引鞘は、前記カテーテル内で回転可能で、かつ軸方向に移動可能であり、あらかじめ設定された湾曲区分が前記カテーテルの前記柔軟遠位部にある時に、前記カッターアセンブリが偏向するように、その遠位端においてあらかじめ設定された湾曲区分も有する、請求項４４に記載の装置。
【請求項４６】
前記掃引鞘は、回転時に、前記カッターアセンブリが、前記カッターアセンブリの直径よりも大きい直径を有する弧を描いて掃引するように、前記カテーテルに対して回転可能である、請求項４４に記載の装置。
【請求項４７】
前記掃引鞘の外部にある前記カテーテル管腔の一部は、近位から遠位方向への流体の送達を可能にする一方で、前記回転可能トルクシャフト上の前記隆起表面は、前記トルクシャフトの回転時に、物質の遠位から近位への同時の移動を可能にする、請求項４４に記載の装置。
【請求項４８】
前記掃引鞘は、前記カッターアセンブリの偏向を固定するように前記カテーテルに対して係止可能である、請求項４４に記載の装置。
【請求項４９】
前記掃引鞘は、前記カッターアセンブリの偏向を固定するように前記カテーテルに対する十分な摩擦を有する、請求項４４に記載の装置。
【請求項５０】
前記カテーテルは、前記カッターアセンブリの付近に少なくとも１つの開口部を備え、前記開口部は、前記シャフト管腔に流体的に連結され、かつ洗浄流体が放出されることを可能にするように構成される、請求項３１に記載の装置。
【請求項５１】
カテーテルの前記近位端の付近の前記ポートは、流体源に連結される、請求項３１に記載の装置。
【請求項５２】
前記カテーテルの前記近位端は、真空源に連結される、請求項３１に記載の装置。
【請求項５３】
前記カッターアセンブリを前記カテーテルに繋ぐフェルールをさらに含む、請求項３１に記載の装置。
【請求項５４】
前記回転可能トルクシャフト上の前記隆起表面は、前記カッター上のらせん溝と同じ回転方向で巻かれている、請求項３１に記載の装置。
【請求項５５】
前記筐体の先端上に回転可能に位置するバリをさらに備える、請求項３１に記載の装置。
【請求項５６】
前記カッターは、複数の波型刃先を有する複数の溝を備える、請求項３１に記載の装置。
【請求項５７】
前記波型刃先は、らせん状である、請求項５６に記載の装置。
【請求項５８】
各溝は、操作中に、前記筐体開口部を通って露出される前記波型刃先の全長が同じままとなるように、前記筐体の前記開口部に対して配設される、請求項５７に記載の装置。
【請求項５９】
前記筐体の一部は、湾曲面を備え、前記波型刃先が前記開口部を横断して回転すると、前記波型刃先の一部が前記開口部を通って前記筐体から外へ延在するように、前記開口部は、前記湾曲面を横断する平面を形成する、請求項５６に記載の装置。
【請求項６０】
完全または部分的に閉塞した血管内の物質の嵩を減らすためのシステムであって、前記システムは、
カテーテル本体の遠位端の付近にカッターアセンブリを有するカテーテル本体と、
前記カッターアセンブリにおけるカッターであって、前記カッターは、少なくとも１つの波型切削面と、少なくとも１つの前方切削面とを含む、カッターと、
前記カッターを回転させて、第１の開口部を形成するための手段であって、前記カッターの回転時に、前記波型切削面は、前記カッターの回転方向に対して接線方向に切削し、前記前方切削面は、前記血管の前記軸に対してほぼ平行に切削する、手段と、
前記カテーテル本体の軸に対して前記カテーテルの遠位部を偏向させるための手段と、
前記身体管腔の第２の開口部を形成するように、前記カテーテルの半径よりも大きい半径を有する弧を描いて前記カッターを移動させるための手段であって、前記第２の開口部は、前記第１の開口部よりも大きい、手段と、
を備える、システム。
【請求項６１】
弧を描いて前記カッターを移動させるための手段は、前記カテーテル本体内で遠位に前進されるように構成された、あらかじめ湾曲させた掃引鞘を備える、請求項６０に記載のシステム。
【請求項６２】
請求項６０に記載のシステムであって、前記カテーテル本体の遠位部は、流体源に連結される少なくとも１つの流体ポートを含み、前記システムは、前記流体ポートを通して流体を送達するための手段をさらに備える、システム。
【請求項６３】
流体は、薬剤を含む、請求項６２に記載のシステム。
【請求項６４】
らせんコンベヤ部材を介して身体の外へ破片物質を輸送するための、前記カテーテル本体内のらせんコンベヤ部材をさらに備える、請求項６０に記載のシステム。
【請求項６５】
前記カテーテル本体およびカッターアセンブリを通して前進されるように構成される、ガイドワイヤをさらに備える、請求項６０に記載のシステム。
【請求項６６】
前記ガイドワイヤの前記遠位部から展開されるように構成された固着機構をさらに備え、前記固着部は、自己拡張式らせんコイル、多孔質バスケット、ワイヤバスケット、複数のワイヤ、および前記ガイドワイヤのあらかじめ成形された部分から成る群より選択される構造を備える、請求項６５に記載のシステム。
【手続補正２】
【補正対象書類名】明細書
【補正対象項目名】００１０
【補正方法】変更
【補正の内容】
【００１０】
本発明は、例えば、以下を提供する：
（項目１）
身体管腔から物質を除去するための装置であって、
近位端と、遠位端と、それを通って延在するカテーテル管腔とを有するカテーテルと、
上記カテーテルの上記遠位端に回転可能に連結されるカッターアセンブリであって、上記カッターアセンブリは、少なくとも１つの波型刃先を有するカッターを含み、上記カッターは、円筒状筐体内に位置し、かつ上記円筒状筐体の遠位開口部において露出され、上記遠位開口部の縁は、前方切削面を形成し、上記円筒状筐体およびカッターは、回転して組織を除去する、カッターアセンブリと、
上記カテーテル管腔を通って延在し、かつ上記カッターアセンブリに連結される第１の端と、回転機構に連結するように構成される第２の端とを有する、回転可能トルクシャフトであって、上記トルクシャフトの外面は、隆起表面を備え、上記隆起表面は、上記トルクシャフトの回転時に、上記隆起表面が近位方向に物質を運搬するように、上記トルクシャフトの外面上にらせん状に位置する、トルクシャフトと、
を備える、装置。
（項目２）
上記カッターおよび円筒状筐体は、第１の方向に回転する、項目１に記載の装置。
（項目３）
上記カッターは、第１の方向に回転し、上記円筒状筐体は、第２の方向に回転する、項目１に記載の装置。
（項目４）
上記カッターは、第１の速度で回転し、上記円筒状筐体は、第２の速度で回転する、項目１に記載の装置。
（項目５）
上記第１および第２の速度は、異なる、項目４に記載の装置。
（項目６）
上記カテーテルは、上記トルクシャフトの回転時に回転しない、項目１に記載の装置。
（項目７）
上記カッターは、上記筐体の上記遠位開口部を越えて部分的に延在する、項目１に記載の装置。
（項目８）
上記カッターは、ドーム形の外形を備える、項目１に記載の装置。
（項目９）
上記カッターは、遠位端に先の丸い突出部を備える、項目１に記載の装置。
（項目１０）
上記筐体を上記カテーテルの遠位端に繋ぐ管部材をさらに備える、項目１に記載の装置。
（項目１１）
上記カッターは、鋼材を備え、窒化チタンで被覆される、項目１に記載の装置。
（項目１２）
上記カッターは、炭化タングステン材を備える、項目１に記載の装置。
（項目１３）
上記円筒状筐体は、鋼材を備え、少なくとも上記前方切削面は、窒化チタンで被覆される、項目１に記載の装置。
（項目１４）
前方切削面は、炭化タングステンで作られている、項目１に記載の装置。
（項目１５）
上記カッター上の上記波型刃先は、上記カッターの回転軸の周囲のらせん経路に接する、項目１に記載の装置。
（項目１６）
上記トルクシャフトを通って、かつ上記カッターを通って延在するガイドワイヤ管腔をさらに備える、項目１に記載の装置。
（項目１７）
上記ガイドワイヤ管腔を通って、かつ上記カッターより遠位に延在するガイドワイヤをさらに備える、項目１６に記載の装置。
（項目１８）
上記ガイドワイヤの遠位部は、固着機構を備える、項目１７に記載の装置。
（項目１９）
上記固着機構は、自己拡張式らせんコイル、多孔質バスケット、ワイヤバスケット、複数のワイヤ、および上記ガイドワイヤのあらかじめ成形された部分から成る群より選択される構造を備える、項目１８に記載の装置。
（項目２０）
上記カテーテルの遠位部は、上記カテーテルの残りの部分よりも柔軟である、項目１に記載の装置。
（項目２１）
上記カテーテル管腔内に位置し、かつ上記回転可能トルクシャフトの外部にある、掃引鞘をさらに備え、上記掃引鞘は、上記カテーテル内で回転可能で、かつ軸方向に移動可能であり、あらかじめ設定された湾曲区分が上記カテーテルの上記柔軟遠位部にある時に、上記カッターアセンブリが偏向するように、その遠位端においてあらかじめ設定された湾曲区分も有する、項目２０に記載の装置。
（項目２２）
上記掃引鞘は、回転時に、上記カッターアセンブリが、上記カテーテルの半径よりも大きい半径を有する弧を描いて掃引するように、上記カテーテルに対して回転可能である、項目２１に記載の装置。
（項目２３）
上記掃引鞘の外部にある上記カテーテル管腔の一部は、近位から遠位方向への流体の送達を可能にする一方で、上記回転可能トルクシャフト上の上記隆起表面は、上記トルクシャフトの回転時に、物質の遠位から近位への同時の移動を可能にする、項目２１に記載の装置。
（項目２４）
上記掃引鞘は、上記カッターアセンブリの偏向を固定するように上記カテーテルに対して係止可能である、項目２１に記載の装置。
（項目２５）
上記掃引鞘は、上記カッターアセンブリの偏向を固定するように上記カテーテルに対する十分な摩擦を有する、項目２１に記載の装置。
（項目２６）
上記カテーテルは、上記カッターアセンブリの付近に少なくとも１つの開口部を備え、上記開口部は、上記シャフト管腔に流体的に連結され、かつ洗浄流体が放出されることを可能にするように構成される、項目１に記載の装置。
（項目２７）
上記カテーテルの上記近位端の付近のポートは、流体源に連結される、項目１に記載の装置。
（項目２８）
上記カテーテルの上記近位端は、真空源に連結される、項目１に記載の装置。
（項目２９）
上記カッターアセンブリを上記カテーテルに繋ぐフェルールをさらに含む、項目１に記載の装置。
（項目３０）
上記回転可能トルクシャフト上の上記隆起表面は、上記カッター上のらせん溝と同じ回転方向で巻かれている、項目１に記載の装置。
（項目３１）
身体管腔から物質を除去するための装置であって、
近位端と、遠位端と、それを通って延在するカテーテル管腔とを有するカテーテルと、
上記カテーテル本体の上記遠位端に位置するカッターであって、上記カッターは、少なくとも１つの開口部を有する筐体と、上記筐体内で回転するように構成されるカッターとを備え、上記カッターは、上記カッターの回転方向に対して接線方向である第１の方向に切削する、少なくとも１つの波型刃先を含み、上記カッターはさらに、上記カテーテルが遠位または近位方向に移動されるときに第２の切削方向に切削し、かつ上記血管の軸に対して平行である、少なくとも１つの前方切削面と、上記カテーテル管腔を通って延在し、かつ第１の端と第２の端とを有するトルクシャフトであって、上記第１の端は上記カッターアセンブリに連結され、上記第２の端は回転機構に連結するように構成され、上記トルクシャフトの外面は隆起表面を備え、上記隆起表面は、回転時に、上記隆起表面が近位方向に物質を運搬するように、上記トルクシャフトの外面上にらせん状に位置する、トルクシャフトとを備える、カッターと、
を備える、装置。
（項目３２）
上記筐体を上記カテーテルの遠位端に繋ぐ管部材をさらに備える、項目３１に記載の装置。
（項目３３）
上記カッターは、円筒形状であって、上記筐体の近位部は、円筒状であって、上記筐体の遠位部は、先細である、項目３１に記載の装置。
（項目３４）
上記カッターの前方切削面は、上記カッターの上記回転軸に対してほぼ垂直に整列している、項目３１に記載の装置。
（項目３５）
上記カッターはさらに、上記カテーテルが近位方向に移動すると第３の切削方向に切削し、かつ上記カッターの上記回転軸に対して平行である、後方切削面を含む、項目３１に記載の装置。
（項目３６）
上記カッターの後方切削面は、上記カッターの上記回転軸に対してほぼ垂直に整列している、項目３５に記載の装置。
（項目３７）
上記カッターは、窒化チタンで被覆される鋼材を備える、項目３１に記載の装置。
（項目３８）
上記カッターは、炭化タングステン材を備える、項目３１に記載の装置。
（項目３９）
上記波型刃先は、上記カッターの上記回転軸の周囲のらせん経路に接する、項目３１に記載の装置。
（項目４０）
上記トルクシャフトを通って、かつ上記カッターを通って延在するガイドワイヤ管腔をさらに備える、項目３１に記載の装置。
（項目４１）
上記ガイドワイヤ管腔を通って、かつ上記カッターより遠位に延在するガイドワイヤをさらに備える、項目４０に記載の装置。
（項目４２）
上記ガイドワイヤの遠位部は、固着機構を含む、項目４１に記載の装置。
（項目４３）
上記固着機構は、自己拡張式らせんコイル、多孔質バスケット、ワイヤバスケット、複数のワイヤ、および上記ガイドワイヤのあらかじめ成形された部分から成る群より選択される構造を備える、項目４２に記載の装置。
（項目４４）
上記カテーテルの遠位部は、上記カテーテルの残りの部分よりも柔軟である、項目３１に記載の装置。
（項目４５）
上記カテーテル管腔内に位置し、かつ上記トルクシャフトの外部にある、掃引鞘をさらに備え、上記掃引鞘は、上記カテーテル内で回転可能で、かつ軸方向に移動可能であり、あらかじめ設定された湾曲区分が上記カテーテルの上記柔軟遠位部にある時に、上記カッターアセンブリが偏向するように、その遠位端においてあらかじめ設定された湾曲区分も有する、項目４４に記載の装置。
（項目４６）
上記掃引鞘は、回転時に、上記カッターアセンブリが、上記カッターアセンブリの直径よりも大きい直径を有する弧を描いて掃引するように、上記カテーテルに対して回転可能である、項目４４に記載の装置。
（項目４７）
上記掃引鞘の外部にある上記カテーテル管腔の一部は、近位から遠位方向への流体の送達を可能にする一方で、上記回転可能トルクシャフト上の上記隆起表面は、上記トルクシャフトの回転時に、物質の遠位から近位への同時の移動を可能にする、項目４４に記載の装置。
（項目４８）
上記掃引鞘は、上記カッターアセンブリの偏向を固定するように上記カテーテルに対して係止可能である、項目４４に記載の装置。
（項目４９）
上記掃引鞘は、上記カッターアセンブリの偏向を固定するように上記カテーテルに対する十分な摩擦を有する、項目４４に記載の装置。
（項目５０）
上記カテーテルは、上記カッターアセンブリの付近に少なくとも１つの開口部を備え、上記開口部は、上記シャフト管腔に流体的に連結され、かつ洗浄流体が放出されることを可能にするように構成される、項目３１に記載の装置。
（項目５１）
カテーテルの上記近位端の付近の上記ポートは、流体源に連結される、項目３１に記載の装置。
（項目５２）
上記カテーテルの上記近位端は、真空源に連結される、項目３１に記載の装置。
（項目５３）
上記カッターアセンブリを上記カテーテルに繋ぐフェルールをさらに含む、項目３１に記載の装置。
（項目５４）
上記回転可能トルクシャフト上の上記隆起表面は、上記カッター上のらせん溝と同じ回転方向で巻かれている、項目３１に記載の装置。
（項目５５）
上記筐体の先端上に回転可能に位置するバリをさらに備える、項目３１に記載の装置。
（項目５６）
上記カッターは、複数の波型刃先を有する複数の溝を備える、項目３１に記載の装置。
（項目５７）
上記波型刃先は、らせん状である、項目５６に記載の装置。
（項目５８）
各溝は、操作中に、上記筐体開口部を通って露出される上記波型刃先の全長が同じままとなるように、上記筐体の上記開口部に対して配設される、項目５７に記載の装置。
（項目５９）
上記筐体の一部は、湾曲面を備え、上記波型刃先が上記開口部を横断して回転すると、上記波型刃先の一部が上記開口部を通って上記筐体から外へ延在するように、上記開口部は、上記湾曲面を横断する平面を形成する、項目５６に記載の装置。
（項目６０）
完全または部分的に閉塞した血管内の物質の嵩を減らすための方法であって、
上記血管内に、カテーテル本体の遠位端の付近にカッターアセンブリを有するカテーテル本体を挿入するステップと、
第１の開口部を形成するように上記カッターアセンブリにおけるカッターを回転させるステップであって、上記カッターは、少なくとも１つの波型切削面と、少なくとも１つの前方切削面とを含み、上記カッターの回転時に、上記波型切削面は、上記カッターの回転方向に対して接線方向に切削し、上記前方切削面は、上記血管の上記軸に対してほぼ平行に切削する、ステップと、
上記カテーテル本体の軸に対して上記カテーテルの遠位部を偏向させるステップと、
上記身体管腔の第２の開口部を形成するように、上記カテーテルの半径よりも大きい半径を有する弧を描いて上記カッターを移動させるステップであって、上記第２の開口部は、上記第１の開口部よりも大きい、ステップと、
を備える、方法。
（項目６１）
弧を描いて上記カッターを移動させるステップは、上記カテーテル本体内で、あらかじめ湾曲させた掃引鞘を遠位に前進させるステップを備える、項目６０に記載の方法。
（項目６２）
項目６０に記載の方法であって、上記カテーテル本体の遠位部は、流体源に連結される少なくとも１つの流体ポートを含み、上記方法は、上記流体ポートを通して流体を送達するステップをさらに備える、方法。
（項目６３）
流体を送達するステップは、上記流体ポートを通して薬剤を送達するステップを備える、項目６２に記載の方法。
（項目６４）
上記カテーテル本体内のらせんコンベヤ部材を提供するステップと、らせんコンベヤ部材を介して身体の外へ破片物質を輸送するステップとをさらに備える、項目６０に記載の方法。
（項目６５）
上記カテーテル本体およびカッターアセンブリを通してガイドワイヤを前進させるステップをさらに備える、項目６０に記載の方法。
（項目６６）
上記ガイドワイヤの上記遠位部から固着機構を留置するステップをさらに備え、上記固着部は、自己拡張式らせんコイル、多孔質バスケット、ワイヤバスケット、複数のワイヤ、および上記ガイドワイヤのあらかじめ成形された部分から成る群より選択される構造を備える、項目６５に記載の方法。
（発明の要旨）
本願で説明される装置および方法は、身体管腔、特に血管系内の障害物を排除する改良型手段を提供する。装置および方法の特徴は、閉塞性物質の制御された除去を可能にする。一部の変化型では、方法および装置はまた、身体管腔から装置を除去する必要なく、物質を手術部位から離して運搬する特徴を有する。付加的な側面は、制御された組織除去率、ならびに管腔壁の偶発的な切削を防ぐその他の安全機能を含む。本願で説明される装置および方法は、血管からの物質の除去について論じるものの、ある場合においては、装置および方法には、その他の身体管腔における適用性もある。下記の装置の変化型および特徴は、選択的に、またはカッターを有する柔軟本体を含む基本装置構造と組み合わせて、組み込まれてもよく、カッターは、筐体およびカッターを含み、筐体およびカッターは、互いに対して回転することが可能であることが、注意されるべきである。変化型は、筐体内で回転するカッター、カッターの周囲で回転する筐体、およびそれらの組み合わせを含む。